【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
複数の各色を表す複数の表示素子を２次元に配列して構成される表示手段に、Ｒ，Ｇ，Ｂの画像信号により表される入力画像に対応する画像を表示する画像表示装置であって、
前記画像信号に基づいて、Ｒ，Ｇ，Ｂの各色を表す単色画素データからなる画素データを、前記各表示素子に対応して生成する手段と、
前記画素データに平滑化処理を行うことにより平滑化画素データを算出する手段と、
前記平滑化画素データを構成する前記単色画素データのいずれかを、前記表示素子の各表示色に応じて選択することにより、前記表示素子の表示レベルを示す表示データを出力する手段と、
前記表示データに基づいて前記各表示素子を駆動する手段とを備えたことを特徴とする画像表示装置。
【請求項２】
表示手段をＲ、Ｇ、Ｂの各色を表す複数の表示素子により構成することを特徴とする請求項１に記載の画像表示装置。
【請求項３】
入力画像の所定の領域を構成する複数の画素データの重み付け平均値を算出することにより前記画素データの平滑化画素データを算出することを特徴とする請求項１または２に記載の画像表示装置。
【請求項４】
入力画像の所定の領域を構成する複数の画素データの重み付け平均値を算出することにより前記画素データの平滑化画素データを算出するとともに、重み係数の総和を変化することにより表示画像のコントラストを制御することを特徴とする請求項１または２に記載の画像表示装置。
【請求項５】
入力画像の高周波成分を検出し、前記高周波成分の検出量に基づいて前記入力画像の平滑化量を制御することを特徴とする請求項１〜４のいずれか１項に記載の画像表示装置。
【請求項６】
画素データの変化に基づいて入力画像の高周波成分を検出することを特徴とする請求項５に記載の画像表示装置。
【請求項７】
画素データに基づいて算出される入力画像の輝度データに基づいて前記入力画像の高周波成分を検出することを特徴とする請求項５に記載の画像表示装置。
【請求項８】
画素データの階調特性を変換する階調変換手段をさらに備えたことを特徴とする請求項１〜７のいずれか１項に記載の画像表示装置。
【請求項９】
平滑化画素データの階調特性を変換することにより表示手段の電気−光変換特性の非線形性を補正する補正手段をさらに備えたことを特徴とする請求項１〜８のいずれか１項に記載の画像表示装置。
【請求項１０】
表示手段の表示サイズに対応して入力画像のサイズを変換する手段をさらに備え、
前記入力画像のサイズを変換する際の変換倍率に基づいて前記入力画像の平滑化量を制御することを特徴とする請求項１〜４、８、９のいずれか１項に記載の画像表示装置。
【請求項１１】
入力画像のフォーマットを検出する手段をさらに備え、
前記フォーマットに基づいて前記入力画像の平滑化量を制御することを特徴とする請求項１〜４、８、９のいずれか１項に記載の画像表示装置。
【請求項１２】
複数の各色を表す複数の表示素子を２次元に配列して構成される表示手段に、Ｒ，Ｇ，Ｂの画像信号により表される入力画像に対応する画像を表示する画像表示方法であって、
前記画像信号に基づいて、Ｒ，Ｇ，Ｂの各色を表す単色画素データからなる画素データを、前記各表示素子に対応して生成し、
前記画素データに平滑化処理を行うことにより、平滑化画素データを算出し、
前記平滑化画素データを構成する前記単色画素データのいずれかを前記表示素子の各表示色に応じて選択することにより、前記表示素子の表示レベルを示す表示データを出力し、
前記表示データに基づいて前記各表示素子を駆動することにより前記画像の表示を行うことを特徴とする画像表示方法。
【請求項１３】
表示手段をＲ、Ｇ、Ｂの各色を表す複数の表示素子により構成することを特徴とする請求項１２に記載の画像表示方法。
【請求項１４】
入力画像の所定の領域を構成する複数の画素データの重み付け平均値を算出することにより前記画素データの平滑化画素データを算出することを特徴とする請求項１２または１３に記載の画像表示方法。
【請求項１５】
入力画像の所定の領域を構成する複数の画素データの重み付け平均値を算出することにより前記画素データの平滑化画素データを算出するとともに、重み係数の総和を変化することにより表示画像のコントラストを制御することを特徴とする請求項１２または１３に記載の画像表示方法。
【請求項１６】
入力画像の高周波成分を検出し、前記高周波成分の検出量に基づいて前記入力画像の平滑化量を制御することを特徴とする請求項１２〜１５のいずれか１項に記載の画像表示方法。
【請求項１７】
画素データの変化に基づいて入力画像の高周波成分を検出することを特徴とする請求項１６に記載の画像表示方法。
【請求項１８】
入力画像の高周波成分を前記入力画像の輝度データに基づいて検出することを特徴とする請求項１６に記載の画像表示方法。
【請求項１９】
入力画像を表す画素データの階調特性を変換した後に平滑化画素データを算出することを特徴とする請求項１２〜１８のいずれか１項に記載の画像表示方法。
【請求項２０】
平滑化画素データの階調特性を変換することにより表示手段の電気−光変換特性の非線形性を補正することを特徴とする請求項１２〜１８のいずれか１項に記載の画像表示方法。
【請求項２１】
表示手段の表示サイズに対応して入力画像のサイズを変換し、
前記入力画像のサイズを変換する際の変換倍率に基づいて前記入力画像の平滑化量を制御することを特徴とする請求項１２〜１５、１９、２０のいずれか１項に記載の画像表示方法。
【請求項２２】
入力画像のフォーマットを検出し、前記フォーマットに基づいて前記入力画像の平滑化量を制御することを特徴とする請求項１２〜１５、１９、２０のいずれか１項に記載の画像表示方法。
【手続補正２】
【補正対象書類名】明細書
【補正対象項目名】０００８
【補正方法】変更
【補正の内容】
【０００８】
【課題を解決するための手段】
本発明による画像表示装置は、複数の各色を表す複数の表示素子を２次元に配列して構成される表示手段に、Ｒ，Ｇ，Ｂの画像信号により表される入力画像に対応する画像を表示する画像表示装置であって、
前記画像信号に基づいて、Ｒ，Ｇ，Ｂの各色を表す単色画素データからなる画素データを、前記各表示素子に対応して生成する手段と、
前記画素データに平滑化処理を行うことにより平滑化画素データを算出する手段と、
前記平滑化画素データを構成する前記単色画素データのいずれかを前記表示素子の各表示色に応じて選択することにより、前記表示素子の表示レベルを示す表示データを出力する手段と、
前記表示データに基づいて前記各表示素子を駆動する手段とを備えたものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明による画像表示方法は、複数の各色を表す複数の表示素子を２次元に配列して構成される表示手段に、Ｒ，Ｇ，Ｂの画像信号により表される入力画像に対応する画像を表示する画像表示方法であって、
前記画像信号に基づいて、Ｒ，Ｇ，Ｂの各色を表す単色画素データからなる画素データを、前記各表示素子に対応して生成し、
前記画素データに平滑化処理を行うことにより、平滑化画素データを算出し、
前記平滑化画素データを構成する前記単色画素データのいずれかを前記表示素子の各表示色に応じて選択することにより、前記表示素子の表示レベルを示す表示データを出力し、
前記表示データに基づいて前記各表示素子を駆動することにより前記画像の表示を行うものである。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】